(57)【要約】      （修正有）【課題】水の電気分解により、健康に良い水素水を生成する、移動も容易な簡易な装置を提供する。【解決手段】原水を水素水に変換する電解式水素水生成部Ｃと、該水素水を貯留する胴体部Ｂと、該水素水を封じるキャップ部Ａからなり、該水素水生成部Ｃは、ａ）縦長とした胴体部Ｂの底部に配置し、ｂ）底部に、絶縁性のスペーサー６の上下両側に金属製の網状或いは多孔性の電極板４、５を置いた電解部を水平に設け、ｃ）水素水生成器１の原水及び電解により生成した水素水接液部品に常用耐熱温度が１００℃以上の耐熱性のある材料を使用する。【選択図】図３
0003198357.tif 000002
【実用新案登録請求の範囲】
【請求項１】
原水を水素水に変換する電解式水素水生成部と、該水素水を貯留する胴体部と、該水素水を封じるキャップ部からなり、
該水素水生成部は、
ａ）縦長とした胴体部の底部に配置し、
ｂ）底部に、絶縁性のスペーサーの上下両側に金属製の網状或いは多孔性の電極板を置いた電解部を水平に設け、
ｃ）水素水生成器の原水及び電解により生成した水素水接液部品に常用耐熱温度が１００℃以上の耐熱性のある材料、例えばトライタン（Ｔｒｉｔａｎ）、ポリカーボネイト、ガラス、セラミック、金属等を使用することで１００℃の熱湯でも水素水を電解生成できることを特徴とする移動も容易な簡易電解式水素水生成器。
【考案の詳細な説明】
【考案の詳細な説明】
【技術分野】
【０００１】  本考案は、移動も可能な簡易電解式水素水生成器に関し、温度の高い水素水を容易に生成飲用できるように考案したものである。
【背景技術】
【０００２】  人が肺から生体内に取り込んだ酸素の一部は活性酸素となる。活性酸素は免疫上重要な働きがあるが、過剰な活性酸素は生体内の細胞を傷つけ健康上有害な作用がある。【０００３】  しかるに２００７年５月に、日本医科大学の太田成男教授の『水素には、体内で生成される４種類の活性酸素の中で最も有害で酸化力が強いヒドロキシラジカルを消去する作用がある。』という趣旨の論文が、権威或るネイチャーメディスン（Ｎａｔｕｒｅ  Ｍｅｄｉｃｉｎｅ）に発表された。【０００４】  この論文をきっかけに、わが国に於いては水素水に強い関心が急激に高まった。既に多くのメーカーより電解式水素水を製造するサーバーが発売され、わが国の水素水関連の年商は既に２００億円に達している。【０００５】  ところで、上記飲料用の電解式水素水生成装置としては、原水が導入される電解室と、該電解室内と該電解室外を区画する隔膜と、この隔膜と挟設する電極板対を有し、該電解室外の電極板が隔膜に接触又は僅かな隙間を設けてなる電解式水素水生成装置が提案されている（特許文献１）。【０００６】  一方、電解式水素水生成装置の二つ目に、その電解槽内に設置するイオン交換膜とその膜に密着する電極によって電解槽を陰極室と陽極室に区画し、該極室それぞれに設けた原料水の供給水ノズルより水を供給しながら電解し、該陰極室と該陽極室にて電解水素水とオゾンを含む電解酸性水を生成する装置が提案されている（特許文献２）。【０００７】  しかし上記技術は、いずれも主に業務用の比較的大型の装置を対象とした高価なものであり、家庭用に向けたものではない。【０００８】  家庭用の要望に応える為に、近年小型の携帯用電解式水素水生成器も市場に出回るようになった。（実用新案文献１）
【先行技術文献】
【特許文献】
【０００９】
【特許文献１】特許第３３４９７１０号
【特許文献２】特開平７−２１４０６３号
【実用新案文献】
【００１０】
【実用新案文献】
実用新案３１７５９９７号号
【考案の概要】
【考案が解決しようとする課題】
【００１１】  近年市場に登場した簡易電解式水素水生成器は簡便軽量安価であるが、電解用原水としては常温の水或いは冷水を対象としており、特に熱湯に対する耐熱性を考慮して考案されたものはない。例えば［先行技術文献］の［００１０］に記載したポータブル型飲料用水素水の生成器に関する実用新案３１７５９９７の実施例をみても、胴体部に常用耐熱温度７０〜９０℃の透明アクリル樹脂を採用しており、水素水生成器全体の耐熱性に特に考慮を払っていない。常温或いは冷たい水素水を、健康のためとはいえ日常毎日多量に飲用することには困難を感じる場合が多い。特に寒冷な季節には、この傾向が大きくなる。しかし、常温又は冷たい水素水を加温する為に加熱した場合、沸騰が始まると水素水の溶存水素濃度が急激に低下してしまうので、加熱作業から目を離すこができず、実際上手間のかかる作業になってしまう。又加熱した熱湯を胴体部に容れて電解しようとする場合には、誤って温度が胴体部の常用耐熱温度以上に高い熱水、例えば常用耐熱温度が９０℃の胴体部に９５℃の熱湯を容れて電解する操作を繰り返せば、胴体部が変形破損する可能性があり、胴体部に容れる熱湯の温度管理を注意深く行わなければならない。このように、現在市場に登場している簡易電解式水素水生成器では、熱い水素水或いは水素入り飲料を簡便に生成飲用することが出来ない。
【課題を解決するための手段】
【００１２】  本考案は、水素水生成器の電解水接液部品に、常用耐熱温度が１００℃以上の耐熱性のある材料、例えばトライタン（Ｔｒｉｔａｎ）、ポリカーボネイト、ガラス、セラミック、金属等で作られた材料を使用することにより、電解用原水として１００℃の熱湯を使用しても、電気分解が可能になり、［００１１］に述べた問題を根本的に解決できる。【００１３】  水又は熱湯を容れる胴体部は、断面形状は特定の形に限定されないが、通常は円形の縦長状容器である。【００１４】  電解用電極は、容器の最低部に設けることにより、発生した水素ガスは、電極から原水表面まで最大距離を浮上する間に原水に溶解しやくなるので、容器の最低部に設けることが望ましい。【００１５】  電解用電極は特定の金属に限定しないが、信頼性及び安定性の点からチタンに白金メッキしたものが望ましい。又電極の形状は、電極表面積が大きい網状或いは多孔性電極板が望ましい。
【考案の効果】
【００１６】  水素水生成器の電解水素水接液部に、常用耐熱温度１００℃以上の耐熱性のある材料を使用し、又安全弁を設けることにより、熱い水素水を飲用したい場合にも容易に欲求を満足させることができ、更にその作られた熱い水素水を用いて熱い緑茶、紅茶、コーヒーなど水素入り飲用を容易に飲用できるようになる。
【図面の簡単な説明】
【００１７】
【図１】本考案の簡易電解式水素水生成器の全体斜視図である。
【図２】本考案を各部に分解した状態の斜視図である。
【図３】本考案の縦断面図である。
【図４】本考案の水素生成部の（Ａ）平面図、（Ｂ）底面図である。
【図５】本考案の水素生成部の拡大断面図である。
【図６】本考案の多孔状電極板の拡大斜視図である。
【考案を実施する為の形態】
【００１８】  本考案の実施形態を図１〜図６に基づき説明する。
【００１９】  本考案の簡易電解式水素水生成器１は、電解液の接液部は耐熱性のあるトライタンであるが、図１に示す如く、手軽に持ち運び或いは携帯に便利な大きさとし、一般的には胴部の中程を握りやすいようにくびらせて直径は約５５ミリメートルに、胴の上部と下部の直径は約７５ミリメートルとしている。
【００２０】  図２は、図１で示した本考案の簡易電解式水素水生成器１の全体斜視図のうち、（Ａ）はキャップ部、（Ｂ）は胴体部、（Ｃ）は電解による水素水生成部を示している。この（Ａ）（Ｂ）（Ｃ）部は互いにネジで嵌合され水漏れのない構造である。
簡易電解式水素水生成器の胴体部１に原水を供給するときは、キャップ部を外して原水を供給したのちキャップ部を締める。水素水生成後には、キャップ部を外してから胴体部を傾けてコップなどに水素水を注いで飲むものとする。
【００２１】  キャップ部（Ａ）はトライタン製で脱着可能であり、安全弁が組み込まれている。
【００２２】  胴体部（Ｂ）は、上下端がオープン形状で筒状であるが、手で持ちやすいように中程がくびれた形状になっている。電解時に水素や酸素の気泡の上昇が見えるように、透明なトライタンで製作されている。胴体部（Ｂ）に原水を容れる時は、予め水素水生成部（Ｃ）と組立てておく。
【００２３】  水素水生成部（Ｃ）は簡易電解式水素水生成器１の底部で、胴体部（Ｂ）と嵌合する電極ユニット収納トライタン製容器２と、この容器２に下からネジで固定されている電源部及び電極電流制御部が設けられているカップ状トライタン製容器３の二つの部分から構成されている。
【００２４】  以下に、簡易電解式水素水生成器１の全体断面図を示す上記図３、そのうちの水素水生成部の拡大断面図を示す図５及び多孔状電極板を示す図６を用いて各部を更に詳細に説明する。
【００２５】  水素水生成部（Ｃ）の詳細を、図５の拡大断面図を用いて詳細に説明する。
電極ユニットは、リング状シリコン樹脂製スペーサーの上下両側をチタンに白金メッキとした多孔状電極で挟み、下側の電極の更に下側に電解室を確保する為のリング状シリコン樹脂製スペーサーを置き、チタン製のボルトとナットで容器２と固定されている。ボルトの貫通部は、水漏れしないようにシールされている。また、ボルトは、電極を電極電流制御基板に接続するリード線の機能を一部兼ねている。
電源部及び電極電流制御装置は、二次電池８、電極電流制御基板９、電解を開始するための電源スイッチ１０、外部電源を二次電池に接続するコネクターの受け口１１等からなる。
【符号の説明】
【００２６】  Ａ    簡易電解式水素水生成器のキャップ部
Ｂ    簡易電解式水素水生成器の胴体部
Ｃ    簡易電解式水素水生成器の水素水生成部
Ｄ    簡易電解式水素水生成器の安全弁
１    簡易電解式水素水生成器
２    電極ユニット収容樹脂製容器
３    電源部及び電極電流制御装置収容樹脂製容器
４    上部多孔状電極板
５    下部多孔状電極板
６    リング状スペーサー
７    電極部ユニット
８    二次電池
９    電極電流制御装置
１０    電源スイッチ
１１    二次電池への外部電源接続コネクター
【図１】
0003198357.tif 000003
【図２】
0003198357.tif 000004
【図３】
0003198357.tif 000005
【図４】
0003198357.tif 000006
【図５】
0003198357.tif 000007
【図６】
0003198357.tif 000008
【手続補正書】
【提出日】平成27年4月2日(2015.4.2)
【手続補正１】
【補正対象書類名】実用新案登録請求の範囲
【補正対象項目名】全文
【補正方法】変更
【補正の内容】
【実用新案登録請求の範囲】
【請求項１】
原水を水素水に変換する電解式水素水生成部と、該水素水を貯留する胴体部と、該水素水を封じるキャップ部からなり、
該水素水生成部は、
ａ）縦長とした胴体部の底部に配置し、
ｂ）底部に、絶縁性のスペーサーの上下両側に金属製の網状或いは多孔性の電極板を置いた電解部を水平に設け、
ｃ）水素水生成器の原水及び電解により生成した水素水接液部品に常用耐熱温度が１００℃以上の耐熱性のある材料、例えばガラス、セラミック、金属、ＰＣＴ樹脂（ポリシクロヘキシレンジメチレンテレフタレート）、ポリカーボネイト、メラミン樹脂、ポリプロピレン、ポリイミド樹脂、フェノール樹脂、シリコン樹脂、エポキシ樹脂等の耐熱性樹脂を使用することで１００℃の熱湯でも水素水を電解生成できることを特徴とする移動も容易な簡易電解式水素水生成器。
【手続補正２】
【補正対象書類名】明細書
【補正対象項目名】００１２
【補正方法】変更
【補正の内容】
【００１２】  本考案は、水素水生成器の電解水接液部品に、常用耐熱温度が１００℃以上の耐熱性のある材料、例えばガラス、セラミック、金属、ＰＣＴ樹脂（ポリシクロヘキシレンジメチレンテレフタレート）、ポリカーボネイト、メラミン樹脂、ポリプロピレン、ポリイミド樹脂、フェノール樹脂、シリコン樹脂、エポキシ樹脂等の耐熱性樹脂で作られた材料を使用することにより、電解用原水として１００℃の熱湯を使用しても、電気分解が可能になり、［００１１］に述べた問題を根本的に解決できる。
【手続補正３】
【補正対象書類名】明細書
【補正対象項目名】００１９
【補正方法】変更
【補正の内容】
【００１９】  本考案の簡易電解式水素水生成器１は、電解液の接液部は耐熱性のあるＰＣＴ樹脂であるが、図１に示す如く、手軽に持ち運び或いは携帯に便利な大きさとし、一般的には胴部の中程を握りやすいようにくびらせて直径は約５５ミリメートルに、胴の上部と下部の直径は約７５ミリメートルとしている。
【手続補正４】
【補正対象書類名】明細書
【補正対象項目名】００２１
【補正方法】変更
【補正の内容】
【００２１】  キャップ部（Ａ）はＰＣＴ樹脂製で脱着可能であり、安全弁が組み込まれている。
【手続補正５】
【補正対象書類名】明細書
【補正対象項目名】００２３
【補正方法】変更
【補正の内容】
【００２３】  水素水生成部（Ｃ）は簡易電解式水素水生成器１の底部で、胴体部（Ｂ）と嵌合する電極ユニット収納ＰＣＴ樹脂製容器２と、この容器２に下からネジで固定されている電源部及び電極電流制御部が設けられているカップ状ＰＣＴ樹脂製容器３の二つの部分から構成されている。